(57)【要約】【課題】心理測光量を情報の伝送手段として用い、物理諸量により形成される通信素量に代えて、心理測光量を通信素量とした新たな通信方法を構築する。【解決手段】送信情報を測色スカラー・ベクトルに変換する手段と、変換された測色スカラー・ベクトルに対応した波長の可視光を放射する手段を有する送信器と、送信器から放射された可視光を受光する手段と、受光した可視光の測色値を演算する手段と、演算された測色値の色差の変化量から測色スカラー・ベクトルを生成する手段と、生成された測色スカラー・ベクトルを受信情報に変換する手段とを有する受信器により構成し、両器間で送受される情報の通信素量として、可視光の測色スカラー・ベクトルの変化量を用いる。【選択図】図３
2007259111.tif 000002
【特許請求の範囲】
【請求項１】
送信情報を単一又は複数群の測色スカラー・ベクトルに変換し、測色スカラー・ベクトルに対応した波長の可視光を放射する手段を有する送信器と、
送信器から放射される可視光を受光し、受光した可視光を測色し色差の変化量から測色スカラー・ベクトルを生成し、これを受信情報に変換する手段を有する受信器とを備え、可視光を通信媒体として送信器から受信器へ情報を伝送する可視光通信方法において、
両器間で送受される情報の通信素量として、可視光の測色スカラー・ベクトルの空間的又は時間的変化量を用いたことを特徴とする可視光通信方法。
【請求項２】
送信情報を単一又は複数群の測色スカラー・ベクトルに変換する手段と、変換された測色スカラー・ベクトルに対応した波長の可視光を放射する手段を有する送信器と、
送信器から放射された可視光を受光する手段と、受光した可視光の測色値を演算する手段と、演算された測色値の色差の変化量から測色スカラー・ベクトルを生成する手段と、生成された測色ベクトルを受信情報に変換する手段とを有する受信器により構成される可視光通信システム。
【発明の詳細な説明】
【技術分野】
【０００１】
本発明は、可視光を通信媒体とする通信方法に係り、送信側で情報を、色に対応したスカラー量又はベクトル量に変換し、これに対応した波長の可視光を受信側へと伝送し、これを受信側で測光してそのスカラー量又はベクトル量から情報に逆変換して通信する方法に関する。
【背景技術】
【０００２】
従来の情報通信システムにおける情報の伝送方式は、アナログ伝送では、ＡＭ（振幅変調）、ＦＭ（周波数変調）、ＰＷＭ（位相変調）などの方式が知られている。
【０００３】
また、ディジタル伝送では、次の方式が知られている。
例えば主として固定無線通信に利用されているスカラー信号系のＡＳＫ系列（ディジタル振幅変調（振幅オンオフ・キーイングＡＳＫ））、ベクトル信号系のＱＡＭ（直交振幅変調：１６ＱＡＭ、６４ＱＡＭ、２５６ＱＡＭ）、主として衛星通信間で利用されているＰＳＫ系列のバイナリフェイズシフト・キーイング（ＢＰＳＫ（Ｂｉｎａｒｙ  ＰＳＫ）：１ビット（０、π）／位相）、ベクトル信号系のＱＰＳＫ（Ｑｕａｄｒａｔｕｒｅ  Ｐｈａｓｅ  ｓｈｉｆｔ  ｋｅｙｉｎｇ（直交位相シフト・キーイング））、π／４シフトＱＰＳＫ、主として移動通信に利用されているベクトル信号系のＦＳＫ系列のＦＳＫ（Ｆｒｅｑｕｅｎｃｙ  ｓｈｉｆｔ  ｋｅｙｉｎｇ（周波数シフト・キーイング）：予め設定した異なる周波数の組（ｆ１、ｆ２）を１ビット（０＝ｆ１、１＝ｆ２）とする方式）、ＭＳＫ（Ｍｉｎｉｍｕｍ  ｓｈｉｆｔ  ｋｅｙｉｎｇ（最小シフト・キーイング）、ＤＭＳＫ（ＤｉｆｆｅｒｅｎｔｉａｌＭＳＫ（差動最小シフト・キーイング（搬送波差分位相変調方式））、スカラー信号系の時間変動信号によるＴＤＭＡ（伝送チャネル内時分割多元接続）、ＣＤＭＡ（伝送チャネル内符号分割多元接続）、ＣＤＭＡ（伝送チャネル内符号分割多元接続：ＯＯＫ（オン・オフ・キーイング）変調のＯＯＫ−ＣＤＭＡ方式及びパルス位置変調（ＰＰＭ）を用いたＰＰＭ・ＣＤＭＡ方式）などが知られている（例えば特許文献１〜７参照）。
【０００４】
【特許文献１】特開平９−３０７４７２号公報
【特許文献２】特開２００２−３０５５５８号公報
【特許文献３】特開平７−１３１３７９号公報
【特許文献４】特開平９−２１４５６９号公報
【特許文献５】特開２００１−１６０７６８号公報
【特許文献６】特開２０００−１８３９８４号公報
【特許文献７】特開２００１−８６０２９号公報
【発明の開示】
【発明が解決しようとする課題】
【０００５】
従来の伝送方式は、何れも電圧、電流、位相、磁束、電荷量といった電気諸量や電波諸量の各々又は各諸量の組み合わせに、時間を合成した物理量を通信素量として情報を伝送するようになっている。
すなわち、図５示されるように、アナログ伝送方式では、信号Ｓの振幅（電圧、電流）Ａ、周波数ｆ又は位相θの単位時間ｔ当たりの変化が通信素量となる。また、これを２次元通信素量として表す方法として、半径ｒのスペクトラム、回転速度（周波数）、位相差（位相速度）を通信素量として捉える方法もある。これら各物理量の変調は、半径ｒ、角周波数ω（ｄθ／ｄｔ）の何れにおいても通信情報は、同図に示した信号Ｓの電気諸量の変調によって形成される物理量のベクトル空間の時間的変化量を通信素量として伝送され識別される。
連続的な信号の変化に対応させて情報を伝送するアナログ伝送方式と異なり、ディジタル伝送方式では、情報がパルス列の時間的位置の変化に対応させて伝送されるが、パルスは原情報信号であるアナログ信号を符号・多重化したものであり、電圧又は電流、周波数、位相の物理諸量により形成される前記ベクトル空間の時間的変化量を通信素量として伝送し識別されることに変わりはない。
【０００６】
また、光を用いた従来の伝送方式は、光ファバーケーブルを利用した伝送形態から明らかなように、光を通信媒体として利用してはいるが、伝送される信号Ｓが、可視域の周波数帯における前述の物理諸量の時間的変化を通信素量とするものであることに変わりはない。
【０００７】
ところで、波長約３８０ｎｍ〜７８０ｎｍの電磁波（放射、輻射）が人の眼に入ると、人は光を感じる。この人が感じることのできる電磁波の波長や放射強度といった物理量は、物理的に計測が可能である。一方、人が感じる光の色や明るさなどの心理量は、直接計測することができない。色認識の正常な人同士では、同じ色を見て、同じ色と認識し色情報を交信することが可能であるが、この色を認識するメカニズムは、眼をセンサーとして入力される光の情報を、同一色のセンシングができるように脳に色データとして蓄積し、そのマッピングデータとセンシング認識した色を照合して色を特定することにより行われる。
【０００８】
人が色を認識するメカニズムは、光の放射を物理的に計測することとは異なり、人が感じる光の明るさや色という心理測光量に基づいて光を評価するものである。本発明は、この心理測光量を情報の伝送手段として用い、物理諸量により形成される通信素量に代えて、心理測光量を通信素量とした新たな通信方法を構成するものである。
【課題を解決するための手段】
【０００９】
眼をセンサーとして、色相や明度、彩度の色差を測色したときの測色値は、客観性のある数学的な演算値に表すことはできない。しかし、個々の相互通信では、伝送情報に完全な客観性を与えることは必ずしも必要ではなく、通信相手相互で納得できるプロトコルがあれば、伝送情報の客観的な一致は交信の必要十分条件ではない。
例えば赤色と青色の歩行者信号器は、眼の感度の個人差から、人によって赤青何れかの信号色がはっきりと見えることがあり、また、周囲の明るさによっても明るい赤色に見えたり暗い赤色に見えたりすることがある。信号器を見るすべての人が信号色の特定を昼夜を問わず行えたとしても、その測色値が一致することはない。しかし、信号が赤色から青色に、又はその逆に変わることは、信号器を見る人がその信号の色差の変化を感じて認識できることであり、それにより赤色であれば止まり、青色であれば進むという判断がなされる。つまり、ここでの情報の交信は、信号色の客観的な測色値が信号器から人に伝達されたのではなく、信号色が変わることによって信号色の色差の変化量が信号器から人に伝達されたことによるものであり、従って、数値の客観化が困難な心理測光量であっても、その測色ベクトル上における変化量を通信素量として通信することは十分可能であり、また、心理測光量と物理諸量を組み合わせた通信形態も実現が可能である。
【００１０】
そこで、本発明は、送信情報を測色ベクトルに変換し、測色ベクトルに対応した波長の可視光を放射する手段を有する送信器と、送信器から放射される可視光を受光し、受光した可視光を測色し、色差の変化量から測色ベクトルを生成し、これを受信情報に変換する手段を有する受信器とを備え、可視光を通信媒体として送信器から受信器へ情報を伝送する可視光通信方法において、両器間で送受される情報の通信素量として、可視光の測色ベクトルの空間的又は時間的変化量を用いたことを特徴とする。
【００１１】
また、本発明の可視光通信システムは、送信情報を測色ベクトルに変換する手段と、変換された測色ベクトルに対応した波長の可視光を放射する手段を有する送信器と、送信器から放射された可視光を受光する手段と、受光した可視光の測色値を演算する手段と、演算された測色値の色差の変化量から測色ベクトルを生成する手段と、生成された測色ベクトルを受信情報に変換する手段とを有する受信器により構成されることを特徴とする。
【００１２】
前記通信方法と通信システムにおいて、測色ベクトルに変えて測色のスカラー量を通信素量とすることが可能である。その場合、送信器において送信情報の測色スカラー量への変換が行われ、受信器において測色値の演算から測色スカラー量を導出し、導出したスカラー量から情報への逆変換が行われ、スカラー量の時間的変化量が通信素量となる。また、通信情報の変換は、情報の一単位又は複数単位を単一の測色ベクトル量又はスカラー量に対応づけて、或いは複数群の測色ベクトル量又はスカラー量に対応づけて行うことができる。
なお、以下では、情報を測色ベクトルに変換する場合の処理について説明する。測色スカラーに変換する場合の処理はこれに準じて行われる。
【００１３】
本発明において、送信器が具備する所定の波長の可視光を放射する手段としては、例えば白色光源と、この光源光を分光する分光器と、送信する測色ベクトルが適応する可視光の波長毎の減衰器とを組み合わせて分光スペクトルを生成し、一つの分光スペクトラムを１送信チャンネルとして利用し、これを発光するように構成することができる。また、別の分光スペクトラムを同様に形成して別チャンネルとし、分光スペクトラムを複数チャンネルとして利用してもよい。さらに、出力光の波長を適宜設定し調節可能に構成された光源を用いてもよい。分光放射分布の異なる複数の発光ダイオードを用い、送信する測色ベクトルに対応させて、放射する可視光の波長を調整可能に構成してもよい。
【００１４】
測色ベクトルは、分光による物理量測定フーリエ空間ベクトルではなく、眼をセンサーとする心理測色系のベクトル、すなわちＣＩＥ表色系（ＲＧＢ表色系、ＸＹＺ表色系、混色色度）、ＵＳＣ表色系空間、色覚色表示系（心理知覚系のＭｕｎｓｅｌｌ表色系色色（色相環１０４色）、心理物理測色系Ｏｓｔｗａｌｄ表色系（色相環２４色））ＵＬＣＳ表色系（Ａｄａｍｓ均等色覚空間、Ｈｕｎｔｅｒ均等色覚空間）などの表色系空間や、ＤＩＮ表色系の空間で表示される色ベクトル、或いは光源色測光、物体反射色測光に対する測色空間ベクトルが用いられる。これらの中から、対応する送信器と受信器とで、交信するための同一の測色ベクトルが選定される。
【００１５】
そして、送信器において、送信すべき情報を前記分光スペクトラムに対応づけるとともに、前記任意の測色ベクトル空間上で、ベクトルの変化量を通信素量として送信データを生成し、対応づけられた波長の可視光を放射することができる。
【００１６】
一方、受信器において、送信器から放射された可視光を受光し、その測色値を計測する手段には、刺激器直読法と分光測色法が用いられる。刺激値直読法によるものには、例えば可視光を受光して三刺激値を測定するセンサーやこれを具備する色彩計など、分光測色法によるものには、例えば回折格子又は分光器と光パワー測定器やポリクロメータを組み合わせて分光スペクトラムを測定するセンサーや分光センサーを具備する分光測色計などをそれぞれ用いることができる。
【００１７】
具体的には、可視光の測定は、例えばＪＩＳ  Ｚ  ８７２４に記載のように、受信した光をモノクロメータやポリクロメータを用い、光のスペクトラム分布Ｓ（λ）を測光して行うことができる。そして、スペクトラム分布から図１（Ａ）に示される、色立体空間上の三刺激値Ｘ、Ｙ、Ｚが求められ、これを平面（ｘ＋ｙ＋ｚ＝１）に投影して、同図（Ｂ）に示されるｘｙｚ表色系２次元平面色座標が求められる。
そして、同図において、色座標（０．３３３、０．３３３）の白色点を中心とするとき、色光のスペクトラム分布から求められる測光（ｘ、ｙ）を平面ベクトル（ｘ−０．３３３、ｙ−０．３３３）として、ｘ、ｙ座標軸中心に移動したとき、９０°偏角を虚数〔ｊ〕とした平面ベクトルＦ（＝ｘ＋ｊｙ）のベクトル変化、平面位相ベクトル変化、時間要素を入れた回転速度ベクトル変化を、伝送情報の通信素量とすることができる。
【００１８】
すなわち、本発明は、各波長毎に、ｙの値が測光量に一致するように定めた定数及びスペクトル分析とを等色関数ｘ（λ）、ｙ（λ）、ｚ（λ）にそれぞれ掛け合わせ、可視光域である波長約３８０ｎｍから７８０ｎｍまでの和を求めて、三刺激値Ｘ、Ｙ、Ｚを求め、その三刺激値数Ｘ、Ｙ、Ｚから、色度座標ｘ＝Ｘ／（Ｘ＋Ｙ＋Ｚ）、ｙ＝Ｙ／（Ｘ＋Ｙ＋Ｚ）をそれぞれ求め、そのｘ、ｙの色座標値を（ｘ＝０.３３３、ｙ＝０.３３３）だけ移動させて、Ｙ円筒軸、平面座標（ｘ、ｙ）の円筒三次元座標の測色ベクトルを求める。この測色ベクトル上の空間的変化量、時間時変化量、変化速度、加速度を通信素量とするものである。
【００１９】
このように、可視光の測色ベクトル空間を形成し、ベクトルの空間的又は時間的変化量を通信素量とすることで、物理量を通信素量とする従来の情報の伝送方式と比較して、情報の伝送量を飛躍的に拡大し、伝送効率も飛躍的に高めることができる。また、情報の通信媒体として可視光を利用することで、可視光を放射する機能を具備した様々機器や装置、例えば照明灯や発光掲示器、映像ディスプレイなどの色光放射機器類を、情報の伝送に用いる送信器として利用することができ、情報の伝送形態を様々に拡充することができる。
【００２０】
なお、可視光のスペクトラム分布を測定する分光器としては、モノクロメータやポリクロメータ、光電色彩計などを用いることができる。光路長を可変する干渉型、屈折率の異なる分散素子を利用した分散型、何れでの型のものでもよい。なお、モノクロメータは、回折格子を機械的に回転させるため分析処理時間が回転速度の制約を受ける。従って、高速且つ大容量の情報を伝送し処理する機器には、フォトダイオードアレイを用いてスペクトル分布を同時測光可能なポリクロメータを利用するのが好ましい。
【００２１】
また、測色ベクトルの形成は、前記ｘｙｚ表色系色度図によるものの他、例えば光電色彩計で得た色度座標（ｘ、ｙ）と三刺激値Yで図２に示される如き、円筒三次元空間を形成し、その円筒空間ベクトルの空間変化、時間変化、速度、加速度を通信素量としてもよい。さらに、輝度値の三刺激値Yの変わりに、演色性（ＪＩＳ  Ｚ  ８７２６）、色温度（ＪＩＳ  Ｚ  ８７２５）を利用してもよい。
【００２２】
また、色表示方法は、ＪＩＳ  Ｚ  ８７２９のＬ、a＊、b＊、とＬ、ｕ＊、ｖ＊色表示方法、そして、そこに記載されているクロマ、色相角、三刺激値から計算される明度Ｌで、円筒座標ベクトルを構成してもよい。
さらに、公知の文献（例えば「新編色彩科学ハンドブック」、日本色彩学会編、東京大学出版会）に記載の、測光量に基づく各種色表示方法を利用して測色空間ベクトルを形成し、そのベクトルを通信素量とすることもできる。
【００２３】
さらにまた、本発明は、公表された等色関数等をベースとした公開情報通信と、通信相互間固有の測色評価関数(例えば等色関数×分光立体角反射率、等色関数×分光立体角透過率、比例定数)や測光手段を送信・受信側相互に持つことによる秘匿情報通信が可能である。従来の通信素量が物理量であることから、計測した通信素量を物理的に把捉できるため、逆演算遡及が一定の努力で可能であるが、通信素量が測色ベクトル空間上の量であれば、高度の逆演算遡及処理が必要となり、情報の秘匿性を格段に向上させることが可能である。通信情報を変換した測色ベクトルに、ダミーの測色ベクトルを混在させて伝送情報を形成することにより、秘匿情報通信の秘匿性をより高めることが可能である。
【００２４】
また、測色ベクトルをスペクトル拡散通信のスペクトルとみなし、本発明を狭帯域の送信スペクトルに符号系列を乗算して形成するスペクトル拡散通信方式としてもよい。
従来技術で例示したスペクトラム拡散通信では、例えば送信側で送信データに排他的論理和をかけ合わせて通信データを生成して送信し、受信側では受信した通信データに送信側と同じ排他的論理和をかけ合わせて、元の送信データを得ている。つまり、スペクトラム拡散通信は、物理諸量である送信データに数学的演算により変調処理を施して通信データを生成し、これを物理諸量である電波で送信し、これを受信した側では、物理諸量の受信データに前記と逆演算による復調処理を施して元の送信データ得る通信処理方式である。
そして、この通信処理の過程で、送信する側出行う変調処理は送信データに固有の関数処理を施す処理、受信する側で行うデータ復調処理は同じく固有の関数処理を受信データに施して元の送信データに変換する処理であり、かかる変調／復調の際の固有の関数処理を測色関数で置き換えることが可能である。
この固有の関数処理を測色関数とした通信方式が測色スペクトラム通信であり、測色が一定の光強度の範囲ではそれによる影響が小さい性質を利用し、つまり色度座標２次元ベクトルをスペクトル拡散通信のスペクトルとみなして通信をすれば、可視光全域のスペクトラムに拡散して、ランダム光ノイズの下で、色度座標２次元ベクトルを利用した秘匿性に優れた測色スペクトラム拡散通信が実現可能である。
【００２５】
さらに、測色立体空間の色差で区分されるセクター毎に対して形成された測色ベクトルを伝送データとするとき、その立体空間の複数のセクター分に対応する排他的論理和数列を生成し、生成された数列に伝送データを乗算して得た可視光スペクトラムを送信し、受信する側で受信した可視光スペクトラムに排他的論理和数列を乗算して、送信データを復調させる測色ベクトルスペクトラム拡散通信も可能である。立体空間セクターを色度座標２次元セクターとし、それに対応する排他的論理和数列を生成し、同様の処理をしてもよい。
【００２６】
また、測色ベクトルの通信素量については、上記方法の他に、補色関係を利用することもできる。
前記公知の文献（その第１５５頁）の記載によれば、補色関係は、二つの色光Ｐ（ｘｐ、ｙｐ）、Ｑ（ｘｑ、ｙｑ）を加法混色した結果、白色Ｗ（ｘｗ、ｙｗ）になれば、元の二色光は互いに補色関係にあると定義されている。また、色度図上の外枠は波長を示すので、白色Ｗ（ｘｗ、ｙｗ）を通過する色度図上の外枠波長同士は、補色波長対とよばれている。外枠内方は、任意の波長であるスペクトラム群で座標点は構成され、それらのうち二つの色が補色関係を構成させることができる。
これら測色ベクトル固有の補色関係を利用する測色ベクトル通信方法の例として、直交座標表示のマンセルの知覚色空間の円環座標ベクトルにおいて、オイラーの公式[Ｅｘｐ（ｊθ）＝ｃｏｓθ＋ｊｓｉｎθ]から、（−１）＝Ｅｘｐ（ｊπ）とすれば、補色関係にある色同士で、通信素量として利用することができる。
また、前記公知の文献の記載によれば、色度座標において、Ｙ刺激値としてＰにｋｙｐ×（ｘｑ−ｘｗ）、Ｑにｋｙｑ×（ｘｗ−ｘｐ）を与えれば、Ｐ（ｘｐ、ｙｐ）、Ｑ（ｘｑ、ｙｑ）を加法混色して、白色Ｗ（ｘｗ、ｙｗ）をつくれ、補色関係が位置付けられるので、マンセルの座標ベクトル同様に、通信素量として利用することができる。その他、前記公知の文献（その第１５７頁）に記載の残像対も同様に通信素量として利用が可能である。
さらに、任意の色差可能な二つの位相角θ１、θ２に対して測色位相変化Ｅｘｐ（ｊ（θ１−θ２））に補色演算子ベクトルＥｘｐ（ｊπ）を乗じた測色位相変化Ｅｘｐ（ｊπ＋ｊ（θ１−θ２））に任意のスペクトラムを乗じた測色ベクトル変化補色同士でもよいし、補色演算子ベクトルを任意の回転ベクトル演算子Ｅｘｐ（ｊθ）とすれば、ＢＰＳＫ、ＱＰＳＫ、π／４シフトＱＰＳＫ、任意θシフトＱＰＳＫ、ＦＳＫ、ＭＳＫ、ＤＭＳＫＴＤＭＡ、ＣＤＭＡ，ＯＯＫ、ＰＰＭなどの今日利用されている通信方式と同様に位置付けすることができ、同様な通信方式に構成することができる。
【発明を実施するための最良の形態】
【００２７】
本発明の好適な一実施形態を図面を参照して説明する。
図３は本発明の可視光通信システムの構成概念図である。
同図に示されるように、この可視光通信システムは、光放射部１１を有する送信器１と、受光部２１を有する受信器２を構成要素としており、送信器１から放射される可視光ＶＲを通信媒体として、送信器１から受信器２に情報を伝送するようになっている。送信器１から受信器２への可視光ＶＲの伝送は光ファイバーを利用しても行われる。
【００２８】
送信器１は、測色ベクトル座標部１２と、光源からの分光成分を当該座標部対応付けて送信情報信号を測色ベクトルに変換するベクトル変調部１３と、変換された測色ベクトルに対応した波長の可視光を生成するスペクトラム変調部１４とを備え、合成された可視光を光放射部１１から放射するように構成してある。
受信器２は、前記送信器１の測色ベクトル座標部１２と同じ測色ベクトル座標部２２と、受光部２１で受光した可視光ＶＲの測色値を計測する測色部２３と、計測された測色値の色差の変化量と測色ベクトル座標部２２から測色ベクトルを生成するスペクトラム復調部２４と、生成されたベクトルを受信情報に変換するベクトル復調部２５とを備えて構成されている。なお、送信器１から受信器２へ送信される情報は、文字や画像、音声など電子化されるすべての種類のデータが含まれる。
【００２９】
図４は、送信器１と受信器２が具備する信号処理部の構成の一例を示している。
送信器１は、同図（Ａ）に示されるように、送信器１は、白色光を発光する光源部１５と光源光を分光する分光器１６を備え、また、ベクトル変調部１３を、固有関数により送信情報に重み付け処理を施す符号化処理部１３ａと、重み付けされた情報に波長毎のデータに対応させる減衰制御器１３ｂにより構成し、スペクトラム変調部１４を、分光器１６による各スペクトラムの分光を増幅する増幅器１４ａと、減衰制御器１３ｂにより各スペクトラムの光を選択的に制御する減衰器１４ｂにより構成してある。
そして、送信情報信号を測色ベクトルに変換するとともに固有関数による重み付け処理を施し、これに対応するスペクトルの可視光をスペクトラム変調部１４で生成し、光放射部１１から放射するように構成してある。
また、受信器２は、同図（Ｂ）で示されるように、測色部２３を分光器２３ａと光電器２３ｂにより構成して受光した可視光ＶＲのスペクトルを抽出し、前記と同様の符号化処理部２２ａを具備した測色ベクトル座標部２２とスペクトラム復調部２４において、抽出されたスペクトラムの変化量から測色ベクトルを生成し、これをベクトル復調部２５で受信情報に変換するように構成してある。
【００３０】
なお、図示した形態では、可視光領域のスペクトラムを白色光源を利用して構成したが、ＬＥＤやレーザ光など、特定の色の可視光を利用して構成してもよく、測色ベクトル又は測色スカラーから変換される可視光は適宜な手段によって生成することができる。
【図面の簡単な説明】
【００３１】
【図１】本発明における測色ベクトルの変化量を通信素量とする処理を説明するための図である。
【図２】本発明において円筒三次元空間を測色ベクトルとして利用した場合の通信素量の対応関係を説明するための図である。
【図３】本発明の可視光通信システムの構成概念図である。
【図４】（Ａ）、（Ｂ）はそれぞれ送信器と受信器が具備する信号処理部の構成の一例を示した図である。
【図５】物理量を通信素量としたアナログ伝送方式の処理を説明するための図である。
【符号の説明】
【００３２】
１  送信器、２  受信器、ＶＲ  可視光、１１  光放射部、１２  ベクトル座標部、１３  ベクトル変調部、１４  スペクトラム変調部、２１  受光部、２２  ベクトル座標部、２３  測色部、２４  スペクトラム復調部、２５  ベクトル復調部
【図１】
2007259111.tif 000003
【図２】
2007259111.tif 000004
【図３】
2007259111.tif 000005
【図４】
2007259111.tif 000006
【図５】
2007259111.tif 000007